(57)【要約】【課題】テーマパークなどでユーザ自身を含む記念写真を取る場合には、第3者にカメラを渡して撮影を依頼する必要がある。また、人間が位置できない場所からのアングルからは撮影することができない。さらに、所定の位置にユーザが位置したときに撮影して暮れるシステムは存在するが、ユーザは撮影されているときにその映像を確認することができない。【解決手段】本発明の映像サービスシステムは、ネットワークに接続された複数のカメラと、前記カメラで撮影された映像を蓄積あるいは配信する管理サーバと、前記カメラで撮影した映像を表示するクライアント端末から構成されるシステムであり、ユーザの位置とクライアントから一定の距離にある周囲のカメラの位置を自動的に検出し、ユーザを含む映像をクライアント端末に表示することが可能である。【選択図】図１
2006174195.tif 000002
【特許請求の範囲】
【請求項１】
ネットワークに接続された複数のカメラと、該複数のカメラ及び前記カメラで撮影した映像を表示することができるクライアント端末に接続され、前記カメラで撮影された映像を蓄積または該クライアント端末に配信する管理サーバとを有する映像サービスシステムであり、
前記管理サーバは、前記複数のカメラの撮影範囲を特定するカメラ情報を保持し、
前記クライアント端末との通信に基づいて該クライアント端末を保持するユーザの位置を取得し、
前記カメラ情報に基づいて該ユーザの位置から一定の距離にある周囲のカメラの位置を特定し、ユーザを含む映像をクライアント端末に提供することを特徴とする映像サービスシステム。
【請求項２】
請求項１において、前記クライアント端末は、ネットワークを介して前記管理サーバに接続される端末装置であって、ネットワークと通信を行う通信部と、映像やメニューなどを表示する表示部と、ユーザ入力を受け付ける入力部と、該通信部、表示部の制御及び演算を行う演算部とを有し、 
前記表示部は、アイコン、カーソルなどを含むメニュー選択画面とカメラからの映像を表示し、
前記演算部は、前記カーソルが前記複数のアイコンのいずれかにフォーカスしているときに前記入力部において該いずれかのアイコンを選択する選択入力を受け付けた場合に、該選択されたアイコンと関連付けられた機能の起動または映像データの読み込みを行うことを特徴とする映像サービスシステム。
【請求項３】
請求項２において、前記クライアント端末は、前記通信部により前記管理サーバから取得した映像をソフトウェア処理することにより、画像の拡大や移動などの操作を行うことを特徴とする映像サービスシステム。
【請求項４】
請求項１において、前記クライアント端末は、位置情報を検出し、前記管理サーバへ通知するための手段を備えることを特徴とする映像サービスシステム。
【請求項５】
請求項１において、前記クライアント端末は、ネットワークを介して他の端末と通信するため通信モジュールを備え、ほかのクライアント端末あるいは他のデバイスに管理データを転送できることを特徴とする映像サービスシステム。
【請求項６】
請求項５において、前記クライアント端末と他の端末とは、前記管理サーバにより把握されるそれぞれの位置を用いて互いの周辺の映像が相手の装置へ提供されることができるようなモードに設定することができることを特徴とする映像サービスシステム。
【請求項７】
請求項１において、前記管理サーバは、前記複数カメラからの映像を常時蓄積する記憶部を備えることを特徴とする映像サービスシステム。
【請求項８】
請求項１において、前記管理サーバは、ユーザ情報、カメラ情報を管理するデータ管理テーブルを備えることを特徴とする映像サービスシステム。
【請求項９】
請求項１において、前記管理サーバは、記録した映像デーやのカメラＩＤ、日付情報、映像フレーム情報を記録する記憶部を備えることを特徴とする映像サービスシステム。
【請求項１０】
請求項１において、前記カメラは、ネットワークに接続され、画像データを継続的に管理サーバに転送することを特徴とする映像サービスシステム。
【発明の詳細な説明】
【技術分野】
【０００１】
本発明は、テーマパークなどの娯楽施設や、駅構内あるいはデパート建物内などの閉鎖的な領域において、利用者を撮影した映像を利用者の端末に配信するカメラ映像サービスシステムに関する。
【背景技術】
【０００２】
近年、街中、テーマパーク、駅構内、ビルディング、学校など、公共空間あるいは準公共空間のあらゆるところにカメラが設置されるようになった。これらのカメラはネットワークに接続されており、通信のブロードバンド化や高解像度カメラなどカメラの高性能化に伴って高速で高画質の画像データを送受信できるようになっている。
【０００３】
また近年、デジタルビデオカメラが普及し、誰もが手軽に映像を撮り、その映像を編集したり、ＤＶＤなどの記録媒体に記録したり、他人にコピーしたりすることができるようになった。
【発明の開示】
【発明が解決しようとする課題】
【０００４】
しかし、公共空間に設置された複数のカメラからの映像は、主に防犯目的のために使われることがほとんどであり、監視人などの特定の人のみが、監視室などの特定の場所でのみこれらの映像を見ることができ、一般の人々は見ることができない。また、一般の人々は撮影された映像が、何の目的で、誰によって、どのように使われているか、あるいは、撮影された映像データがどこに蓄積されているのか、容易には知ることができない。
一方、テーマパークやデパートなど準公共空間では防犯目的で複数のカメラが設置されているところがあるが、ユーザはこれらのカメラを操作することができず、記念撮影などの娯楽目的にはつかえない。このような目的のためには、持参したカメラを使うことが通常である。
【０００５】
しかし、このような持参したデジタルビデオカメラを使う場合では、ユーザ自身を含む記念映像を撮る場合、第３者に撮影を依頼する必要がある。また、人間が撮影することができるアングルは限界があり、例えば建物の屋上からのアングルのような人間が位置することができない視点からの映像は撮影することができない。
テーマパークなど娯楽施設では、アトラクションの乗り物にのっている客の写真を自動的に撮影し、テーマパーク内に設置した端末あるいは販売所でその写真を客に販売できるようになっているところがある。しかし、このようなシステムでは、客はどのタイミングで撮影されるのか不明で、客自身が望むポーズで撮影されることは難しい。
【０００６】
本発明は、かかる問題を解消するためのものであり、
その目的は、ユーザが第３者に依頼することなく、自分の目で映像を確認しながら、ユーザ自身を含む複数のカメラからの映像に容易に、楽しくアクセスし、リアルタイム映像の表示や映像の録画、さらに録画映像の再生をユーザが持つクライアント端末で行うことができ、カメラのスイッチング、ズーム、チルトなどのカメラの操作もクライアント端末でできるシステムを提供することである。
【課題を解決するための手段】
【０００７】
上記の目的を達成するために、本発明は、ユーザの位置情報を取得する手段と、カメラの位置情報、視野角情報、方向情報などを取得する手段と、ユーザ自身を含む映像をユーザのクライアント端末に配信する手段と、映像データを蓄積・配信するため手段と、カメラ映像を表示する手段と、カメラ映像を画像処理する手段と、を備えるものである。
この場合、サーバには、テーマパークなどに設置された複数カメラからの映像が蓄積されている。さらに、サーバには、映像データの各フレーム情報や、日時やどのカメラで撮影されたものかを識別するためのカメラＩＤなどの情報も合わせて記憶されている。
【０００８】
また、サーバには、本発明の映像サービスシステムを利用しているユーザの氏名、ユーザＩＤ番号、ユーザの位置情報などのユーザ情報と、カメラを識別するためのカメラＩＤ番号やカメラ位置などのカメラ情報が記憶されている。
ユーザが持っているクライアント端末は一定時間ごとに現在位置をサーバに通知する。
ユーザ情報とカメラ情報を参照することにより、本発明の映像サービスシステムは、ユーザの位置と、ユーザの周囲にあるカメラ位置とを自動的に検出し、さらに、カメラの視野角や向きなどの情報を用いてユーザを含む映像を自動的に選択し、ユーザのクライアント端末に表示することが可能になる。
【０００９】
クライアント端末では映像サーバから配信される画像データをソフトウェア画像処理することができ、ユーザはクライアント端末で映像のズームやパン、チルトなどの操作を行うことが可能になる。
また、クライアント端末で映像の録画や再生などの操作を行うこともできる。
また、本発明は、テーマパークなどにおいて、複数のカメラを、建物の屋上や水中など、人間が位置することができない場所にも設置することができるものである。
【発明の効果】
【００１０】
このような構成により、ユーザは、テーマパークなどに設置された複数のカメラの映像のうち、自分が映っている映像に自由に簡単にアクセスすることができ、第３者に依頼しなくても記念撮影ができたり、人間では撮れないアングルの映像を撮ることが可能になる。
【発明を実施するための最良の形態】
【００１１】
以下、本発明の実施形態を図面を用いて説明する。
図１は本発明の一実施形態を示す概略構成図であり、１０１、１０２、１０３はネットワーク１１４に接続されたカメラ、１０４、１０５、１０６はクライアント端末の位置情報を検出するためのセンサあるいは無線ＬＡＮなどの基地局、１０７、１０８、１０９はクライアント端末、１１０は映像やユーザ情報を管理するサーバ、１１１は映像データを蓄積するデータベースである。
同図においてクライアント端末１０１、１０２、１０３は、ネットワーク１１４を介して、映像管理サーバ１１０と接続される。映像管理サーバ１１０は、映像を配信するために、映像データを蓄積する記憶部１１１と、ユーザ情報やカメラ情報を管理する情報管理部１１２と、外部との通信を行う通信部１１３とを具備する。ユーザ情報とは、ユーザの名前、住所、端末ＩＤなどのユーザに固有の情報であり、カメラ情報とは、カメラのＩＤ番号、設置場所などのカメラに固有の情報である。
また、同図において、基地局１０４、１０５、１０６はクライアントの位置情報を検出するための無線ＬＡＮあるいは赤外線センサなどの情報を収集するものである。
【００１２】
図２にクライアント端末の構成図を示す。クライアント端末は、表示部２０１、入力部２０２、通信部２０３、演算部２０４、記憶装置２０５、センサ情報取得部２０６、情報閲覧プログラム２０７、メール機能２０８、データフォルダ２０９を具備しており、ネットワーク網２１０を利用して映像のダウンロードなどを行う。
記憶装置２０５には情報閲覧プログラム２０７が格納されており、演算部２０４が情報閲覧プログラム２０７を起動すると、メール、データフォルダ２０９に格納されたデータ、映像サーバからダウンロードされたデータを、画面に表示することができる。
メール機能２０８では、ユーザが入力部２０２の操作でメール機能とリンクしたアイコンを選択するとメールアプリケーションが起動し、メール送信先をデータフォルダ２０９に保存してある送信先リストから選択してメールを送信することができる。
ユーザは入力部２０２を操作して通信部２０３を利用して映像管理サーバ１１０と通信し映像を取得したり、ほかの情報端末と通信したりすることができる。
クライアント端末は、ユーザが購入しても良いし、テーマパークなど本システムが使用される場所で貸し出しても良い。
【００１３】
図３はクライアント端末の一例を示すものである。３０１はディスプレイ、３０２は他のデバイスと接続するためのケーブル、３０３は接続部、３０４は入力部である。ディスプレイ３０１にはクライアント端末を操作するためのメニューや、映像サーバから配信された画像を表示する。接続のために同図では有線ケーブル３０２を示しているが、無線であっても良い。接続部は物理的なコネクタであっても良いし、赤外線送受信部などでも良い。入力部３０４はボタンやキーボード、その他の入力手段でも良い。
【００１４】
図４はユーザ登録画面の一例である。ユーザは、クライアント端末を初めて使用する場合、氏名４０１、住所４０２、電話番号４０３、メールアドレス４０４、などの個人情報を入力部から入力する。このほかの情報を入力できるようにしても良い。ユーザは、自分を含む映像が友人のクライアント端末から見られるようにすることを許可するかどうかを、「被撮影モード」４０５をONあるいはOFFに設定することにより決定することができる。「被撮影モード」をONにすると、他人のクライアント端末でユーザを含む映像を撮影している複数のカメラからの映像を撮影でき、OFFにするとそれができない。
またユーザは、「被撮影モード」がON状態である他人の周囲にあるカメラからの映像を見ることができる。これを行うためには、あらかじめ「友人登録」を行っておく。図５に友人登録画面の一例を示す。ユーザは友人の氏名５０１と、クライアント端末をあらわす端末固有のＩＤ番号またはメールアドレス５０２により識別される。端末固有のＩＤあるいはメールアドレスは、友人登録をする前に友人から直接聞くなどして取得しておく必要がある。
【００１５】
図６は登録してある友人のリストの１例である。リストは氏名６０１、メールアドレス６０２、被撮影モード６０３からなる。メールアドレスはクライアント端末に固有のものでクライアント端末を識別するためのものであり、メールアドレスの代わりにクライアント端末固有のＩＤ番号であっても良い。被撮影モードがONの場合は、ユーザはその友人を含む映像を自分のクライアント端末から見ることができる。被撮影モードがOFFの場合は、ユーザは友人の周りのカメラ映像を見ることができない。非撮影モードはユーザによりいつでも変更することができ、たとえば、プライベートな場所では被撮影モードをOFFに、そのほかの場所ではONにするなど、自由に切り替えることができる。
【００１６】
図７はリアルタイム映像表示のフローの例である。まず、クライアントの現在位置を取得７０１する。現在位置の取得には、無線ＬＡＮを使う方法、ＧＰＳを使う方法、複数の赤外線センサを用いたセンサネットを使う方法などが考えられるが、そのほかの方法を用いても良い。次に、クライアントは取得した位置情報を管理サーバに通知７０２する。通信方法は、HTTPなどの通信プロトコルを用いる。現在位置の取得と管理サーバへの通知は一定時間ごと、たとえば５分ごとに行い、管理サーバが常に最新の現在位置を把握できるようにしてある。あるいは、ユーザによる要求によりクライアント端末の現在位置を測定して管理サーバに通知するようにしてもよい。サーバはユーザの現在位置を取得すると、カメラ情報管理テーブルを参照してカメラの位置を取得７０３し、ユーザの位置から一定の距離に設置してあるカメラを選択する。さらに、カメラの向き、視野角などの情報を参照して、これらのカメラのうち、ユーザが映っているカメラのみを選択７０４する。ユーザが映っているカメラがある場合、図８に示すような地図をクライアント端末に表示７０５し、ユーザ位置、カメラ位置をユーザに知らせる。このとき、クライアント端末を振動させたり、クライアント端末から音を発したりすることにより、ユーザを含む映像を撮影しているカメラが存在することをユーザに通知しても良い。ユーザはボタンなどの入力手段により複数のカメラの中から１つをカメラを選択７０６し、そのカメラからの映像を表示部に表示７０７する。
【００１７】
図８は地図８０１を利用してユーザの位置８０２と、ユーザの周囲にあるカメラの位置８０３、８０４、８０５をクライアント端末のディスプレイに表示してユーザに知らせるための画面表示の例である。これ以外の方法でカメラ位置をユーザに知らせても良い。また、８０３で示すように、カメラの視野角を図示するようにしてもよい。
ユーザを含む映像を撮影している（撮影できる）カメラの選択手段として、上記のようにユーザの位置情報とカメラの位置情報を参照してカメラを選択する方法以外を用いてもよい。例えば、図９に示す例では、カメラ９０２の視野角に合わせた指向性アンテナ９０３などを用いて電波９０４を照射し、ユーザが持っているクライアント端末９０１が電波受信したときにカメラ位置を表示する、という方法もある。
【００１８】
図１０は、クライアント端末がサーバを介してカメラから映像を入手して、その映像を録画するフローを表示したものである。リアルタイム映像を表示１００１した状態で、録画したい映像が表示されている場合１００２、入力部２０２で録画ボタンを押下する１００３と録画を開始する。このとき、録画フラグ、位置情報、日時情報などを管理サーバに送信１００４する。録画フラグとは、映像サーバで録画の開始フレームを識別するための数字であり、例えば、録画開始時には録画フラグが１、録画停止時には録画フラグ２、録画していないときは録画フラグが０としておくことにより、録画状態なのかそうでないのかなどを識別することができる。録画停止ボタンを押下する１００５と、録画フラグ、位置情報、日時情報をサーバに送信する１００６。これらの情報は、後述するように、録画画像の再生や編集を行うときに使用する。
【００１９】
図１１は、クライアント端末における録画映像の再生のフローを説明するものである。クライアント端末は通常リアルタイム映像を表示するモードにあるが、このモードを再生モードに変更１１０１する。再生モードにすると、図１２に示すような録画映像のリストが表示１１０２される。リストには番号、日付、場所、録画時間などの情報が表示されている。録画した映像がある場合には１１０３、ユーザはカーソルを上下させることにより、再生したい日時、場所の映像を選択１１０４し、再生を行う１１０５。
【００２０】
図１２は録画映像のリストの例である。リストには番号１２０１、日時１２０２、場所１２０３、録画時間１２０４などが表示され、ユーザはカーソル１２０５を上下させることにより再生したい映像を選択することができる。リストが長い場合にはスクロールバー１２０６を操作して全リストを見ることができる。
同図に示すような文字が主体の録画リストのかわりに、映像のサムネル画像を表示するグラフィカルな表示方法でも良い。
同図に示すような録画リストから複数のリストを選択し、それらをつなぎ合わせたり、映像を短縮したりして、映像を編集することも可能である。
【００２１】
図１３は映像のズームを行う方法を示す。クライアント端末は管理サーバから高解像度の映像データ１３０１を受信する。クライアント端末の表示部には、カメラで撮影された画面のうち一部分を切り取って表示する。クライアント端末の演算部２０４において、画像処理を用いてこの一部分の領域１３０２、１３０４を拡大したり縮小したりすることにより、映像のズームを行う１３０３、１３０５。
【００２２】
図１４は映像のパン、チルトを行う方法を示す。クライアント端末は管理サーバから高解像度の映像データ１４０１を受信する。カメラ画像の一部分の領域１４０２、１４０３が表示されるように表示領域をずらすことにより、パン、チルトを実現する１４０４、１４０５。
【００２３】
図１５は映像データをクライアント端末から他のクライアント端末、あるいは、ＰＣや携帯電話など他デバイスに送信するフローを示すものである。データの転送は、画像データ自体を転送しても良いが、映像データのデータサイズが大きい場合にはデータ転送に時間がかかる場合がある。そこで本発明においては、転送したい映像の日時情報や、映像フレーム情報のみ交換し、実際の映像データは、これらの日時情報や映像フレーム情報を利用して、クライアント端末がサーバにそれらの情報に対応した映像を要求する。
同図を用いて、映像データを他のクライアント端末やＰＣや携帯電話などの他のデバイスに転送する方法に関して説明する。まず、他のクライアント端末へデータを転送する場合には、無線ＬＡＮ、ＩＲコネクタなどの無線接続、イーサーケーブルなどの有線接続などの手段が考えられる。クライアント端末を「データ交換モード」１５０１にすると図１６に示すようなデータ交換可能な映像データのリストが表示される１５０２。あるいは、リストの代わりに、映像のサムネイル画像を表示しても良い。ここで、データ交換可能な映像データとは、録画映像または編集された映像のことである。交換する映像データがある場合１５０３、ユーザは交換するデータを、リストにチェックマークをつけるなどの方法により選択する１５０４。交換するデータの選択が終了したら、クライアント端末同士を有線１５０５あるいは無線１５０６で接続する。接続が成立すれば、選択した映像データがクライアント端末間で交換される１５０７。データ交換開始は、接続成立後、自動的に行っても良いし、「データ交換開始」などのボタンを押下ことにより行っても良い。ＰＣや携帯電話などの他のデバイスにデータを転送する場合には、インタネットに接続１５０８し、メールあるいはＨＴＴＰなどの通信プロトコルを利用して映像データを転送する１５０９。
【００２４】
図１６はデータ交換リストの例である。録画再生リストと同様に、交換可能な録画データ、あるいは編集した映像データのリストが表示される。チェックボックス１６０１にチェック１６０２をつけたものが転送の対象となる。映像の選択はカーソル１６０３を上下に動かして選択する。リストが一画面に表示しきれない場合には、スクロールバー１６０４を利用してリストをスクロールして表示する。リストの表示方法は、文字主体のものでも良いし、映像のサムネイルを表示しても良い。
【００２５】
図１７にデータ転送時の画面遷移の例を示す。転送するデータの選択が終了すると、確認画面１７０１でもう一度転送する映像データを確認する。間違いがなければOKボタン１７０２を、間違いがある場合や、再選択を行う場合はNOボタン１７０３を押下する。転送データ転送中は、メニュー画面に「データ転送中」などの表示１７０４を行い、データ転送終了時には、「データ転送終了しました」などの表示１７０５を行い、ユーザに通知する。
図１に示したとおり、映像管理サーバ１１０は映像データを記憶する記憶部１１１とユーザ情報とカメラ情報を管理する情報管理部１１２から構成される。
【００２６】
図１８は、サーバの情報管理部１１２のうち、ユーザ情報の管理テーブルの１例である。ユーザ情報管理テーブルには、クライアントで登録したユーザの氏名１８０１、ユーザのＩＤ番号１８０２、クライアント端末の電源がONかOFFかをあらわす状態１３０３、ユーザの位置情報１８０４、登録している友人のＩＤ番号１８０５などが記録される。このほか、住所、電話番号、メールアドレスなどの情報が記録されても良い。ユーザの位置情報は更新されるたびに、位置情報を書き換えて記録する。
【００２７】
図１９はカメラ情報の管理テーブルの１例である。カメラ情報管理テーブルには、カメラのＩＤ番号１９０１、カメラ設置場所１９０２、視野角１９０３、向き１９０４、仰角１９０５など、各カメラの撮影可能範囲を特定するために利用できる情報が記録される。このほかの情報が記録されても良い。
本発明の映像サービスシステムは、ユーザの位置、カメラの位置、視野角、向き、仰角などの情報から、ユーザを移しているカメラを割り出し、ユーザを含む映像を、ユーザのクライアント端末に表示する。
【００２８】
図２０は映像管理サーバの記憶部の説明をするものである。記憶部２００１には本発明の映像サービスシステムが管理する複数カメラからの映像がフレーム２００２として常時蓄積されている。各フレームには、図には表示されていないが日時、映像フレーム情報２００３、カメラＩＤ情報２００４も記録されており、録画映像の再生や、データ転送の際にこれらの日時情報や映像フレーム情報を参照して、ユーザが要求する映像をクライアント端末に表示する。
本発明の映像サービスシステムでは、プライバシー保護のため、ユーザを含み、かつ、クライアント端末から一定の距離にある映像のみを取得することができる用にカメラを設置することで、たとえば、他人に住居の中を覗き見する、というような使い方はできないようなシステムを構築することができる。
また、端末に一定時間入力操作がない場合、自動的に電源を切るようにする。これは、たとえば、クライアント端末のみを電源をONにしてある場所の放置しておき、映像を撮影する、というような使い方させないためである。
【００２９】
次に、本発明の映像サービスシステムの応用例に関して説明する。
ひとつ目の応用例は、本発明の映像サービスシステムを利用した道案内サービスである。従来技術としては、ＧＰＳを利用したカーナビゲーションシステムや携帯電話の位置情報サービスなどがある。しかし、これらは、地図上での経路を示すものが大半であり、ＣＧなどを用いて建物の絵などが描いてあるが、実写とは異なり、実際の様子がわかりにくい場合もある。また、時間が経ってこれら地図情報のデータが古くなると、新しいデータをインタネットやＣＤを使ってダウンロードしなければいけない。
そこで、本発明の映像サービスを用い、実際の映像を表示して経路表示を行うことで、これらの問題を解決することができる。
【００３０】
具体的に上記の道案内サービスに関して説明する。
図２１は道案内サービスを利用するフローの例である。まず、メニューから、「道案内サービス」を選択２１０１すると、図２２に示されるような目的地設定画面２２０１が表示される。この画面においてユーザは目的地を設定する２１０２。目的地の設定が終了すると、システムはユーザの現在位置を検出２１０３し、ユーザの周囲のユーザを映しているカメラが存在する場合２１０４には、そのカメラからの映像をクライアント端末に表示２１０５、２２０２する。このカメラ映像にはユーザが進むべき方向を指し示す矢印２２０３も描画されており、ユーザはその矢印の方向に歩いていく。ユーザが歩いていくにつれて常時ユーザの現在位置を検出し２１０７、カメラを切り替えながら周辺にあるカメラからの映像をクライアント端末に表示していく。周囲にユーザを移しているカメラが存在しない場合には、ＣＧを用いた立体的な地図を表示２１０６し、矢印で進行方向を表示し、ユーザを映しているカメラが存在する場所にユーザが入った場合に、実際の映像に切り替える。
実際の映像を表示してユーザを道案内することにより、いわば最新の道路状況をユーザに伝えることにより、ユーザにとってわかりやすい道案内をすることができる。
【００３１】
次に別の応用例に関して説明する。
本発明の映像サービスシステムは、ユーザ自身を含む映像をクライアント端末に表示するだけでなく、ユーザが登録した友人が被撮影モードをONにしていれば、その友人を含む映像を表示することも可能である。そこで、遊園地での迷子防止システムとして使用することができる。
【００３２】
図２３は遊園地における迷子防止システムの例である。遊園地の入り口において、クライアント端末を入場者に貸し出す。このとき、親は子を友人登録し、子は親を友人登録する。この場合、被撮影モードはONにしておく。もし、子が迷子になった場合、子は親２３０１の周囲のカメラ２３０２、２３０３、２３０４の映像を子のクライアント端末２３０９に表示し親の姿２３１０を確認することができる。逆に、親は子２３０５の周囲のカメラ２３０６、２３０７、２３０８の映像を親の木裏慰安と端末２３１１に表示し、子の姿２３１２を確認することができる。
このようなシステムを利用するｋとにより、親は子を含む映像を自分のクライアント端末に表示し、カメラを切り替えや、ズーム、パン、チルトなどの操作により画面を変えることにより、周囲の状況を把握し、子のいる場所を把握することができる。また、子は親を含む映像を自分のクライアント端末に表示することにより、親の姿を確認することができ、安心感を持つことができる。
【図面の簡単な説明】
【００３３】
【図１】本発明の、システムの概要を示す説明図である。
【図２】本発明の、クライアント端末の構成を示す説明図である。
【図３】本発明の、クライアント端末の例を示す説明図である。
【図４】本発明の、ユーザ登録画面を示す説明図である。
【図５】本発明の、友人登録画面を示す説明図である。
【図６】本発明の、友人リスト画面を示す説明図である。
【図７】本発明の、リアルタイム画像表示のフローを示す説明図である。
【図８】本発明の、ユーザおよびカメラの位置を表す画面の例を示す説明図である。
【図９】本発明の、ユーザの位置を検出する例を示す説明図である。
【図１０】本発明の、録画のフローを示す説明図である。
【図１１】本発明の、録画映像の再生のフローを示す説明図である。
【図１２】本発明の、再生映像のリスト画面を示す説明図である。
【図１３】本発明の、映像のズーム処理を示す説明図である。
【図１４】本発明の、映像のパン、チルト処理を示す説明図である。
【図１５】本発明の、映像データの転送のフローを示す説明図である。
【図１６】本発明の、転送するデータのリスト画面を示す説明図である。
【図１７】本発明の、映像データ転送時の画面遷移を示す説明図である。
【図１８】本発明の、映像管理サーバのユーザ情報管理テーブルを示す説明図である。
【図１９】本発明の、映像管理サーバのカメラ情報管理テーブルを示す説明図である。
【図２０】本発明の、映像管理サーバの映像データの記録の概要を示す説明図である。
【図２１】本発明の、カメラを用いた道案内をするシステムのフローを示す説明図である。
【図２２】本発明の、カメラを用いた道案内をするシステムの画面を示す説明図である。
【図２３】本発明の、迷子防止システムの概要を示す説明図である。
【符号の説明】
【００３４】
101：カメラ、102：カメラ、103：カメラ、104：基地局、105：基地局、106：基地局、107：クライアント端末、108：クライアント端末、109：クライアント端末、110：映像管理サーバ、111：映像データ記憶部、112：情報管理部、113：通信部、114：ネットワーク、
201：表示部、202：入力部、203：通信部、204：演算部、205：ハードディスク、206：センサ情報取得部、207：記憶部、208：情報閲覧プログラム、209：メール、210：インタネット網、
301：ディスプレイ、302：接続ケーブル、303：接続部、304：入力ボタン、
401：氏名入力覧、402：住所入力覧、403：電話番号入力覧、404：メールアドレス入力覧、405：被撮影モード選択覧、
501：友人氏名入力覧、502：友人メールアドレス入力覧、
601：氏名表示覧、602：メールアドレス表示覧、603：被撮影モード表示覧、
701：ユーザ位置検出、702：位置情報をサーバにアップ、703：カメラ位置検出、704：ユーザを映しているカメラの有無の判定、705：ユーザ位置とカメラ位置の表示、706：カメラの選択、707：映像表示、
801：地図、802：ユーザ位置、803：カメラ位置、804：カメラ位置、805：カメラ位置、
901：クライアント端末、902：カメラ、901：電波照射用指向性アンテナ、902：電波、
1001：リアルタイム映像表示、1002：録画するかしないかの判定、1003：録画ボタン押下、1004：位置情報・日時をサーバに送信、1005：録画停止ボタン押下、1006：位置情報・日時をサーバに送信、
1101：再生モードに切り替え、1102：録画映像リスト表示、1103：録画映像の有無の判定、1104：再生画像を選択、1105：再生開始、
1201：通し番号表示覧、1202：日時表示覧、1203：場所表示覧、1204：録画時間表示覧、1205：カーソル、1206：スクロールバー、
1301：高解像度画像、1302：画像処理領域、1303：映像表示、1304：画像処理領域、1305：表示、
1401：高解像度画像、1402：パン・チルト操作前の画像処理領域、1403：パン・チルト操作後の画像処理領域、1404：映像表示、1405：映像表示、
1501：転送モード、1502：映像リスト表示、1503：転送するデータの有無の判定、1504：転送するデータの選択、1505：有線接続、1506：無線接続、1507：転送開始、1508：インタネット接続、1509：データ送信、
1601：チェックボックス、1602：チェックマーク、1603：カーソル、1604：スクロールバー、
1701：確認画面、1702：OKボタン、1703：NOボタン、1704：転送中画面、1705：転送終了画面、
1801：氏名覧、1802：ＩＤ覧、1803：状態覧、1804：一情報欄、1805：友人ＩＤ覧、
1901：カメラＩＤ覧、1902：位置覧、1903：視野角覧、1904：方向覧、1905：仰角覧、
2001：記憶部、2002：フレーム、2003：フレーム情報、2004：カメラＩＤ情報、
2101：道案内モードに設定、2102：目的地設定、2103：現在地取得、2104：ユーザを映しているカメラの有無の判定、2105：映像表示、2106：地図表示、2107：位置情報・日時をサーバに送信、2108：目的地に到着したかどうか判定、
2201：目的地設定画面、2202：表示映像、2203：進行方向を示す矢印、
2301：親の位置、2302：カメラ、2303：カメラ、2304：カメラ、2305：子の位置、2306：カメラ、2307：カメラ、2308：カメラ、2309：親のクライアント端末の表示部、2310：子の映像、2311：子のクライアント端末の表示、2312：親の映像、2313：地図。
【図１】
2006174195.tif 000003
【図２】
2006174195.tif 000004
【図３】
2006174195.tif 000005
【図４】
2006174195.tif 000006
【図５】
2006174195.tif 000007
【図６】
2006174195.tif 000008
【図７】
2006174195.tif 000009
【図８】
2006174195.tif 000010
【図９】
2006174195.tif 000011
【図１０】
2006174195.tif 000012
【図１１】
2006174195.tif 000013
【図１２】
2006174195.tif 000014
【図１３】
2006174195.tif 000015
【図１４】
2006174195.tif 000016
【図１５】
2006174195.tif 000017
【図１６】
2006174195.tif 000018
【図１７】
2006174195.tif 000019
【図１８】
2006174195.tif 000020
【図１９】
2006174195.tif 000021
【図２０】
2006174195.tif 000022
【図２１】
2006174195.tif 000023
【図２２】
2006174195.tif 000024
【図２３】
2006174195.tif 000025